(57)【特許請求の範囲】
【請求項１】
検体の測定に必要な複数の測定項目に対応する複数の乾式分析素子を収納するとともに、生化学分析装置に供給する生化学分析用カートリッジであって、
該生化学分析用カートリッジに収納されうる全ての乾式分析素子のうち前記生化学分析用カートリッジの製造時または出荷時に有効期限内である乾式分析素子の検量線データを記憶した記憶素子を備えたことを特徴とする生化学分析用カートリッジ。
【請求項２】
前記記憶素子は、前記生化学分析装置により読み取り可能な位置に設けられたことを特徴とする請求項１記載の生化学分析用カートリッジ。
【請求項３】
請求項１に記載された生化学分析用カートリッジの前記記憶素子に記憶された検量線データを読み取る検量線データ読取部と、
前記生化学分析用カートリッジに装填された前記乾式分析素子の識別情報を読み取る識別情報読取部と、
前記検量線データ読取部により読み取られた検量線データに基づいて、前記識別情報読取部により読み取られた前記識別情報により特定される検量線データが有効期限内でない場合に、警告する警告手段とを備えたことを特徴とする生化学分析装置。
【発明の詳細な説明】
【技術分野】
【０００１】
本発明は、血液、尿等の検体を点着用ノズルユニットにより比色タイプの乾式分析素子、電解質タイプの乾式分析素子などに点着し、検体中の所定の生化学物質の物質濃度、イオン活量等を求める生化学分析装置および、該生化学分析装置に用いられる、乾式分析素子を収納して装填する生化学分析用カートリッジに関するものである。
【背景技術】
【０００２】
従来より、検体の小滴を点着供給するだけでこの検体中に含まれている特定の化学成分または有形成分を定量分析することのできる比色タイプの乾式分析素子や検体に含まれる特定イオンのイオン活量を測定することのできる電解質タイプの乾式分析素子が開発され、実用化されている。これらの乾式分析素子を用いた生化学分析装置は、簡単かつ迅速に検体の分析を行うことができるので、医療機関、研究所等において好適に用いられている。
【０００３】
比色タイプの乾式分析素子を使用する比色測定法は、検体を乾式分析素子に点着させた後、これをインキュベータ内で所定時間恒温保持して呈色反応（色素生成反応）させ、次いで検体中の所定の生化学物質と乾式分析素子に含まれる試薬との組み合わせにより予め選定された波長を含む測定用照射光をこの乾式分析素子に照射してその光学濃度を測定し、この光学濃度から、予め求めておいた光学濃度と所定の生化学物質の物質濃度との対応を表す検量線を用いて該生化学物質の濃度を求めるものである。
【０００４】
一方、電解質タイプの乾式分析素子を使用する電位差測定法は、上記の光学濃度を測定する代わりに、同種の乾式イオン選択電極の２個１組からなる電極対に点着された検体中に含まれる特定イオンの活量を、ポテンシオメトリで定量分析することにより求めるものである。
【０００５】
上記いずれの方法においても、液状の検体は検体容器（採血管等）に収容して装置にセットすると共に、その測定に必要な乾式分析素子を装置に供給し、検体容器から所定方向に移動が可能な点着ノズルを有する点着ノズルユニットを利用して、検体を吸引し点着位置に搬送された乾式分析素子に点着を行う。上記検体、乾式分析素子の装填、その他測定に必要な消耗品として多数のノズルチップ、希釈用の混合カップ、希釈液容器、参照液容器などを装置に装填する方法が種々提案されている。
【０００６】
上記の乾式分析素子は、製造時の温度や湿度または製造装置などの製造環境の違いにより、同じ種類の乾式分析素子であっても光学濃度と所定の生化学物質の物質濃度との対応を表す検量線の差が大きく、製造ロット単位など一定の製造環境を保つ所定の製造単位ごとに乾式分析素子の検量線を求めることが行われている。そして、乾式分析素子を用いた検査には、乾式分析素子のロット番号等の識別情報に基づいて、各乾式分析素子に応じた固有の検量線データによる補正を行った検査結果を得ることが必要不可欠である。かかる検量線データは、CD-ROMなどの記憶媒体を介して、生化学分析装置に予め読み込ませることが一般に行われている。
【０００７】
また、乾式分析素子は個々に所定の有効期間を持つものであるため、一定期間おきに新たに製造された乾式分析素子についての検量線データを適宜更新する必要があり、ユーザの手間となっていた。
【０００８】
このため、特許文献１のように、１つのサンプルに対して異なる種類の試験を行う複数の試験部位を１つの平面上に配置した生化学分析用カートリッジに、試験部位の固有の識別子を記すバーコードやマイクロチップなどを添付し、生体分析装置がこの固有の識別子に読み取って、読み取られた識別子により特定される検量線データを各試験部位の試験に利用する方法が提案されている。
【先行技術文献】
【特許文献】
【０００９】
【特許文献１】特表２００７−５３８２３０号公報
【発明の開示】
【発明が解決しようとする課題】
【００１０】
しかしながら、特許文献１に記載した方法では、生化学分析用カートリッジ７ごとに記憶すべき検量線データが異なるため、生化学分析用カートリッジに添付された記憶素子にどの検量線データを記憶させるべきか生化学分析用カートリッジごとに判断する必要あり、記憶素子に記憶すべき検量線データの特定が煩雑であり、人為ミスなどで記憶素子に記憶すべき検量線データの判断を誤る可能性があった。
【００１１】
本発明は、かかる問題に鑑みて、生化学分析用カートリッジに添付される記憶素子に記憶すべき検量線データを容易に特定して生化学分析用カートリッジを製造可能な生化学分析用カートリッジ、および生化学分析用カートリッジを使用する生化学分析装置を提供することを目的とする。
【課題を解決するための手段】
【００１２】
本発明の生化学分析用カートリッジは、検体の測定に必要な複数の測定項目に対応する複数の乾式分析素子を収納するとともに、生化学分析装置に供給する生化学分析用カートリッジであって、前記生化学分析用カートリッジの製造時または出荷時に有効期限内である全ての乾式分析素子の検量線データを記憶した記憶素子を備えたことを特徴とするものである。
【００１３】
ここで、「生化学分析用カートリッジの製造時または出荷時に有効期限内である全ての乾式分析素子の検量線データ」とは、生化学分析用カートリッジに装填される可能性のある乾式分析素子の検量線データの全てを少なくとも含むものであればよい。例えば、生化学分析用カートリッジが所定の対象物に対する血液の検査用など特定の使用装置専用であれば、特定の使用装置で検査される項目についての、生化学分析用カートリッジ７に装填可能な、生化学分析用カートリッジ７の製造時または出荷時に有効期限内である全ての乾式分析素子の検量線データを少なくとも含むものであればよい。
【００１４】
また、例えば、生化学分析用カートリッジの製造時は、生化学分析用カートリッジの製造工程の任意の時を意味するが、例えば、生化学分析用カートリッジの本体に記憶素子を取り付け時であってよい。かかる場合、生化学分析用カートリッジの本体に記憶素子を取り付ける直前または取り付けた直後に最新の検量線データおよび有効期限を記憶素子に記憶させることが考えられる。また、生化学分析用カートリッジの出荷時は、生化学分析用カートリッジの出荷工程の任意の時を意味するが、例えば、生化学分析用カートリッジの製造者または流通業者が、組み立てが完成した生化学分析用カートリッジを生化学分析用カートリッジの使用者に対して発送する時であってよい。かかる場合、使用者からの注文を受けつけて生化学分析用カートリッジを発送する直前に、流通業者が生化学分析用カートリッジの本体に記憶素子を取り付けた状態の生化学分析用カートリッジに対し、最新の検量線データおよび有効期限を記憶素子に記憶または更新する作業を行ってから生化学分析用カートリッジを発送することが考えられる。
【００１５】
また、本発明の生化学分析用カートリッジにおける前記記憶素子は、前記生化学分析装置により読み取り可能な位置に設けられることが好ましい。
【００１６】
また、「生化学分析装置により読み取り可能な位置」は、生化学分析装置に備えられた読み取り部によって生化学分析用カートリッジに備えられた記憶素子を読み取ることのできる位置であれば、いかなる位置でもよい。例えば、生化学分析用カートリッジの記憶素子は、生化学分析用カートリッジを生化学分析装置に装填した際に、生化学分析装置の読取部の読み取り位置に配置されるように生化学分析用カートリッジに設けられることが好ましい。また、記憶素子は、生化学分析装置に備えられた読み取り部によって生化学分析用カートリッジに備えられた記憶素子を読み取ることのできる位置であれば、生化学分析用カートリッジの側面、底面、上面など任意の位置に設けることができる。また、記憶素子は、生化学分析用カートリッジの外周に設けてもよく、生化学分析用カートリッジの内部に設けてもよい。
【００１７】
また、本発明の生化学分析装置は、上記生化学分析用カートリッジの前記記憶素子に記憶された検量線データを読み取る検量線データ読取部と、前記生化学分析用カートリッジに装填された前記乾式分析素子の識別情報を読み取る識別情報読取部と、前記検量線データ読取部により読み取られた検量線データに基づいて、前記識別情報読取部により読み取られた前記識別情報により特定される検量線データが有効期限内でない場合に、警告する警告手段とを備えることが好ましい。
【００１８】
また、かかる警告手段による警告は、ユーザが認識できる警告であればいかなる警告でもよく、例えば、音による警告でもよく、生化学分析用カートリッジを使用する装置に備えられた操作画面や生化学分析用カートリッジを使用する装置に接続されたコンピュータのディスプレイ上に警告表示を行ってもよい。
【発明の効果】
【００１９】
本発明の生化学分析用カートリッジは、検体の測定に必要な複数の測定項目に対応する複数の乾式分析素子を収納するとともに、生化学分析装置に供給する生化学分析用カートリッジであって、生化学分析用カートリッジの製造時または出荷時に有効期限内である全ての乾式分析素子の検量線データを記憶した記憶素子を備えたことを特徴とするものであるため、生化学分析用カートリッジに添付される記憶素子に記憶すべき検量線データを容易に特定できる。また、生化学分析用カートリッジの製造時または出荷時に有効期限内である全ての乾式分析素子の検量線データを生化学分析装置に供給できるため、必要な検量線データの供給が容易で確実に行える。この結果、ユーザの負担が軽減され、測定作業の効率を向上できる。
【００２０】
また、本発明の生化学分析用カートリッジにおける記憶素子が、生化学分析装置により読み取り可能な位置に設けられた場合には、生化学分析用カートリッジに備えられた記憶素子を生化学分析装置に装填した位置に生化学分析装置の検量線データ読取部を配置することで、生化学分析装置に装填時に記憶素子に記憶された検量線データを生化学分析装置に読み取らせることができ、検量線データの更新を別途行う必要がなく、生化学分析装置の検量線データの更新が容易で確実である。
【００２１】
また、本発明の生化学分析装置は、上記生化学分析用カートリッジの記憶素子に記憶された検量線データを読み取る検量線データ読取部と、生化学分析用カートリッジに装填された乾式分析素子の識別情報を読み取る識別情報読取部と、検量線データ読取部により読み取られた検量線データに基づいて、識別情報読取部により読み取られた識別情報により特定される検量線データが有効期限内でない場合に、警告する警告手段とを備えた場合には、有効期限が切れた乾式分析素子の誤使用をユーザに知らせることができ、乾式分析素子の正確な期限管理を支援することができる。
【図面の簡単な説明】
【００２２】
【図１】本発明の一つの実施の形態における生化学分析用カートリッジを装填した生化学分析装置の概略構成を示す斜視図
【図２】生化学分析装置の要部機構の平面配置図
【図３】生化学分析用カートリッジの斜視図
【発明を実施するための形態】
【００２３】
以下、本発明の実施の形態を図面に沿って説明する。図１は一例の生化学分析用カートリッジを装填した生化学分析装置の概略機構を示す斜視図、図２は生化学分析装置の要部機構の平面配置図である。図３は一実施形態の生化学分析用カートリッジの斜視図である。
【００２４】
図１に示す生化学分析装置１は、装置本体１７の前部の一方（図の右側）に円形のサンプラトレイ２が、他方（図の左側）に円形のインキュベータ３が、両者の間に点着部４（図１では図示省略、図２参照）が、上部には左右に移動する点着ノズルユニット５がそれぞれ配設されている。また、サンプラトレイ２の近傍には、血液から血漿を分離する血液濾過ユニット６が設置されている。
【００２５】
また、生化学分析装置１には、生化学分析用カートリッジの記憶素子に記憶された検量線データを読み取る検量線データ読取部２３と、カートリッジに装填された前記乾式分析素子の識別情報を読み取る識別情報読取部２４と、取得した識別情報により特定される検量線データが、読み取られた検量線データに存在しない場合に、警告する警告手段２５とを備えている。なお、サンプラトレイ２、インキュベータ３、点着部４、点着ノズルユニット５、検量線データ読取部２３、識別情報読取部２４は装置本体１７の内部に設けられた不図示の制御手段により制御され、該制御手段は警告手段２５の機能を兼ね備えている。
【００２６】
サンプラトレイ２は、正転方向および逆転方向に回転駆動される円盤状の回転台２１を有し、この回転台２１の外周部の円弧状凹部には、円環形状が中心から放射状に等分割された５つの生化学分析用カートリッジ７が装填され、装填された５個の生化学分析用カートリッジ７が円弧状に並ぶ。
【００２７】
図２に示す形態のサンプラトレイ２は、正転方向および逆転方向に回転駆動される円環状（ドーナツ状）の回転台２２を有し、この回転台２２にはその円環形状が中心から放射状に８個に等分割された生化学分析用カートリッジ７および消耗品カートリッジ８が装填され、全部のカートリッジ７，８の装填によって円環状となる。生化学分析用カートリッジ７および消耗品カートリッジ８は平面同形状であり、独自に着脱可能である。５つの生化学分析用カートリッジ７は、その測定項目に対応して必要とされる未使用の乾式分析素子１１を保持する素子収容室７１（図２では配置形状を示している）を有する。３つの消耗品カートリッジ８は、１つが多数のノズルチップ１２を配列保持し、他の１つが多数の混合カップ１３を保持し、残り１つが希釈液容器１４および参照液容器１５を保持する。消耗品カートリッジ８にはそれぞれの保持形態に対応した保持凹部が形成されている。
【００２８】
上記のような生化学分析用カートリッジ７および消耗品カートリッジ８の装填により、サンプラトレイ２には、図１と同様に１つの検体容器１０とその測定に必要な未使用の乾式分析素子１１を組み合わせた複数組みの検体と乾式分析素子１１とを装填すると共に、消耗品としてのノズルチップ１２、混合カップ１３、参照液容器１５および希釈液容器１４を予め装填している。
【００２９】
サンプラトレイ２の回転台２１，２２は、不図示の回転駆動機構により、点着ノズルユニット５の動作位置に正転方向または逆転方向に回転駆動される。その回転位置と、点着ノズルユニット５の移動位置を制御することにより、必要なノズルチップ１２を取り出し、必要な検体や希釈液、参照液を吸引し、必要により混合するという、検体点着のための所定の動作が行われる。
【００３０】
またサンプラトレイ２の中央部には、乾式分析素子１１を搬送する搬送手段９（図２参照）を備える。この搬送手段９は、不図示の機構によってサンプラトレイ２の半径方向にスライド移動可能に配設された素子搬送部材９１（挿入レバー）を有し、この素子搬送部材９１の前進移動制御によってその先端部で乾式分析素子１１を押して生化学分析用カートリッジ７から自動的に取り出して点着部４に搬送し、点着後の乾式分析素子１１をインキュベータ３に搬送し、測定後にはインキュベータ３の中心方向にさらに乾式分析素子１１を搬送して廃却するように設けられている。そして、回転台２１，２２の回転位置を制御して、順に生化学分析用カートリッジ７を点着部４に対応する位置に停止させて、必要な乾式分析素子１１を生化学分析用カートリッジ７から取り出すことができる。
【００３１】
本実施形態における生化学分析用カートリッジ７を図３に基づき説明する。生化学分析用カートリッジ７は、検体の測定に必要な複数の測定項目に対応する複数の乾式分析素子１１を収納するとともに、生化学分析装置１に供給する生化学分析用カートリッジであって、生化学分析用カートリッジ７の製造時または出荷時に有効期限内である全ての乾式分析素子の検量線データを記憶した記憶素子７５を備えたものである。ここで、製造時または出荷時に有効期限内である全ての乾式分析素子とは、生化学分析用カートリッジの製造時または出荷時に既存の乾式分析素子に限らず、将来販売が予定されている乾式分析素子を含むものとしてもよい。
【００３２】
図３に示すように、この生化学分析用カートリッジ７は測定に必要な乾式分析素子１１を複数枚収容し生化学分析装置１に搭載するものであり、乾式分析素子１１を収容する素子収容室７１を備え、この素子収容室７１の下端部の前方に不図示の素子取出口を有し、後方には搬送バー（不図示）が挿入されるガイド穴７４が開口されている。乾式分析素子１１の取り出しは、上記ガイド穴７４に搬送バーを挿入することにより、最下段の乾式分析素子１１を押して、前方の素子取出口より押し出すように取り出して搬送する。
【００３３】
また、上記生化学分析用カートリッジ７の素子収容室７１は、上端部が開放された乾式分析素子の装填口となり、装填口の左右２方に上端より下方に向けて延びる切欠き７２，７３が形成されてなる。そして、乾式分析素子１１の装填は、乾式分析素子の両側を挟むようにもって上方より素子収容室７１の底部に向けて乾式分析素子１１を装填する。
【００３４】
また、生化学分析用カートリッジ７に設けられた記憶素子７５は、生化学分析装置により読み取り可能な位置に設けられている。詳細には、生化学分析用カートリッジを生化学分析装置に装填した際に、生化学分析装置の読取部の読み取り位置に配置される位置である、生化学分析用カートリッジの後方側面７６の中央部に設けられている。
【００３５】
なお、生化学分析用カートリッジ７に記憶素子７５を設ける位置は、生化学分析装置に備えられた読取部によって生化学分析用カートリッジに備えられた記憶素子を読み取ることのできる位置であれば、いかなる位置でもよい。また、記憶素子７５は、生化学分析装置に備えられた読み取り部によって生化学分析用カートリッジに備えられた記憶素子を読み取ることのできる位置であれば、生化学分析用カートリッジ７の側面、底面、上面など任意の位置に設けることができる。また、記憶素子７５は、生化学分析用カートリッジの外周に設けてもよく、生化学分析用カートリッジの内部に設けてもよい。
【００３６】
また、本実施形態の生化学分析用カートリッジ７には、３０項目程度の試験に対応する乾式分析素子が任意の組合せでセットされる可能性がある。また、記憶素子７５には、検量線データとして、ロット番号ごとに、検量線を特定する検量線次数および検量線係数、必要に応じて検量線を変換する変換式を特定する変換式の変換係数、補正式を特定する補正式係数、スムージング処理を特定するスムージング次数と、検査項目名、検査項目コード、検体の種類、測定波長、点着液量、測定時間、データ処理方式、表示桁数や表示単位などの各種情報を対応付けて記憶している。
【００３７】
本実施形態では、記憶素子７５として、少なくとも一つのＲＦＩＤタグが用いられる。そして、生化学分析装置１には、生化学分析用カートリッジ７の生化学分析装置１への装填時に、前記記憶素子７５が配置される位置に対向して少なくとも一つのＲＦＩＤリーダ２３（検量線データ読取部２３）を配置している。ＲＦＩＤタグは、読み取り専用でもよく、読み書きできるものであってもよい。
【００３８】
また、記憶素子７５には、生化学分析用カートリッジ７の製造時または出荷時に有効期限内である全ての乾式分析素子の検量線データを記憶可能な容量を有するあらゆる種類の記憶素子７５を適用できる。例えば、ＩＣチップなどが使用できる。また、複数の同じ種類または異なる種類の記憶素子を組み合わせて記憶素子７５を構成することにより、かかる容量を実現してもよい。
【００３９】
なお、本実施形態における乾式分析素子においては、１つの乾式分析素子を特定するために、乾式分析素子を特定する識別情報としてロット番号が約１０バイト、検量線データが約１０−１００バイトを必要とする。また、乾式分析素子の有効期限は３−６ヶ月であることが多いため、記憶素子７５は、生化学分析用カートリッジ７の製造時または出荷時に有効期限内である全ての乾式分析素子の検量線データを記憶するために、５ｋＢ以上の容量であることが好ましく、１０ｋＢ以上の容量であることがさらに好ましく、２０ｋＢ以上の容量であることがさらに好ましい。また、記憶素子が、検量線データ読取部２３により非接触で検量線データを読み取ることのできる非接触読取タイプである場合には、生化学分析装置による搬送動作中に容易に検量線データを読み取ることができるため好ましい。
【００４０】
ここで、本発明において特徴的なのは、記憶素子７５が、「生化学分析用カートリッジ７の製造時または出荷時に有効期限内である」全ての乾式分析素子の検量線データを記憶していることである。これは、乾式分析素子の製造者により、次々新たな乾式分析素子が製造され、かかる新たな乾式分析素子に対して検量線データが測定されるため、乾式分析素子に記憶される検量線データは、できるだけ最近に製造された乾式分析素子についての検量線データを含むものであることが好ましいという観点に基づくものである。また、記憶素子７５は、生化学分析用カートリッジ７の製造時または出荷時に有効期限内である「全て」の乾式分析素子の検量線データを記憶している。これは、例えば、生化学分析用カートリッジ７に実際にセットされる乾式分析素子についてのみ、検量線データを記憶素子７５に記憶する場合は、生化学分析用カートリッジ７ごとに記憶すべき検量線データが異なるため、いずれの検量線データを記憶素子に記憶すべきか検量線データの特定が煩雑であり、人為ミスなどで記憶素子７５に記憶すべき検量線データの判断を誤る可能性があった。しかし、記憶素子７５に、生化学分析用カートリッジ７の製造時または出荷時に有効期限内である「全て」の乾式分析素子の検量線データを記憶させることで、記憶素子７５に記憶すべき情報の特定が簡潔になり、記憶素子７５に記憶すべき検量線データの判断を容易化できる。
【００４１】
また、本実施形態の記憶素子７５は、生化学分析用カートリッジ７の出荷時に最新の検量線データが記憶素子７５に記憶または更新されたものである。詳細には、生化学分析用カートリッジ７の流通業者が、使用者からの注文を受け、素子収容室７１に記憶素子７５を取り付けた状態の生化学分析用カートリッジ７の記憶素子７５に対し、最新の検量線データを記憶または更新する作業を行ってから梱包出荷したものである。
【００４２】
ここで、「生化学分析用カートリッジ７の製造時または出荷時に有効期限内である全ての乾式分析素子の検量線データ」とは、生化学分析用カートリッジ７に装填される可能性のある乾式分析素子の検量線データの全てを少なくとも含むものであればよい。例えば、生化学分析用カートリッジが所定の対象物に対する血液の検査用など特定の使用装置専用であれば、特定の使用装置で検査される項目についての、生化学分析用カートリッジ７に装填可能な、生化学分析用カートリッジ７の製造時または出荷時に有効期限内である全ての乾式分析素子の検量線データを少なくとも含むものであればよい。なお、記憶素子７５は、生化学分析用カートリッジの製造時または出荷時に有効期限内である全ての乾式分析素子の検量線データ以外の任意の情報をさらに記憶するものであってもよい。
【００４３】
また、例えば、生化学分析用カートリッジの製造時は、生化学分析用カートリッジの製造工程の任意の時を意味するが、例えば、生化学分析用カートリッジの本体に記憶素子を取り付け時であってよい。かかる場合、生化学分析用カートリッジの本体に記憶素子を取り付ける直前または取り付けた直後に最新の検量線データおよび有効期限を記憶素子に記憶させることが考えられる。また、生化学分析用カートリッジの出荷時は、生化学分析用カートリッジの出荷工程の任意の時を意味するが、例えば、生化学分析用カートリッジの製造者または流通業者が、組み立てが完成した生化学分析用カートリッジを生化学分析用カートリッジの使用者に対して梱包する時であってよい。かかる場合、使用者からの注文を受けつけて生化学分析用カートリッジを梱包する直前に、流通業者が生化学分析用カートリッジの本体に記憶素子を取り付けた状態の生化学分析用カートリッジに対し、最新の検量線データおよび有効期限を記憶素子に記憶または更新する作業を行ってから生化学分析用カートリッジを発送することが考えられる。
【００４４】
上記のような生化学分析用カートリッジ７は任意に回転台２１，２２に装填でき、測定前の生化学分析用カートリッジ７の入れ替えも可能である。なお、生化学分析用カートリッジ７には識別部材が配設され、サンプラトレイ２への生化学分析用カートリッジ７の装填が検出され、検体ＩＤ、濾過の有無等が識別される。また、上記生化学分析用カートリッジ７と同形状である図２に示す消耗品カートリッジ８は、収容した消耗品の残量が少量になったときは、予めノズルチップ１２および混合カップ１３を載置した新しい消耗品カートリッジ８を用意して入れ替えることができる。
【００４５】
ここで、生化学分析用カートリッジ７に装填される乾式分析素子１１について説明する。検体の呈色度合を測定するために使用される比色タイプの乾式分析素子１１は矩形状のマウント内に試薬層が配設されてなり、マウントの表面に点着孔が形成され、点着孔には検体が点着される。検体のイオン活性を測定するために使用される電解質タイプの乾式分析素子１１は、２箇所の液供給孔が形成されている。一方の液供給孔には検体が点着され、他方の液供給孔にはイオン活量が既知である参照液が点着される。また、イオン活量を測定するために電位差測定手段の電位測定用プローブと電気的に接続される３対のイオン選択電極対が形成されている。両乾式分析素子１１の裏面には検査項目などを特定するための情報が記録された識別子であるバーコード（図示せず）が付設されている。
【００４６】
前記点着部４（図２）は、乾式分析素子１１に血漿、全血、血清、尿などの検体を点着するもので、点着ノズルユニット５によって比色測定タイプの乾式分析素子１１には検体を、電解質タイプの乾式分析素子１１には検体と参照液を点着する。
【００４７】
この点着部４には、乾式分析素子１１の底面を受ける載置台４１と、上方の点着用開口を有する素子押え（図示せず）が設置され、両者の間を乾式分析素子１１が移動する。点着部４の前段部分には、乾式分析素子１１に設けられたバーコードを読み取るためのバーコードリーダー２４（識別情報読取部）が設置されている。このバーコードリーダー２４は、検査項目などを特定し、後の点着、測定を制御するため、および乾式分析素子１１の搬送方向（前後、表裏）を検出するために設けられている。
【００４８】
点着ノズルユニット５（図１）は検体のサンプリングを行うもので、横方向に水平移動する横移動ブロック５１に上下移動する２つの上下移動ブロック５２，５２が設けられ、２つの上下移動ブロック５２，５２にそれぞれ固定された２つの点着ノズル５３，５３を有している。横移動ブロック５１、２つの上下移動ブロック５２，５２は、図示しない駆動手段により横移動および上下移動が制御され、２つの点着ノズル５３，５３は、一体に横移動すると共に、独自に上下移動するようになっている。例えば、一方の点着ノズル５３は検体用であり、他方の点着ノズル５３は希釈液用および参照液用である。
【００４９】
両点着ノズル５３，５３は棒状に形成され、内部に軸方向に延びるエア通路が設けられ、下端にはピペット状のノズルチップ１２がシール状態で嵌合される。この点着ノズル５３，５３にはそれぞれ不図示のシリンジポンプ等に接続されたエアチューブが連結され、吸引・吐出圧が供給される。使用後のノズルチップ１２はチップ抜取り部で外されて落下廃却される。
【００５０】
インキュベータ３は、点着部４の延長位置に配置され、図２に示すように、円盤状の回転部材３１が図示しない回転駆動機構によって回転可能に設けられ、回転部材３１の上には不図示の上位部材が配設され、回転部材３１の円周上に乾式分析素子１１を収納する素子室３２が所定間隔で複数配設されてなる。素子室３２の底面の高さは点着部４の搬送面の高さと同一に設けられ、点着部４から挿入された乾式分析素子１１を素子室３２内で、上位部材に付設された加熱手段の温度調整によって所定温度にインキュベーション（恒温保持）する。
【００５１】
また、回転部材３１の内孔は廃却口３３に形成され、素子室３２の測定後の乾式分析素子１１がそのまま中心側に移動されると廃却口３３に落下廃却される。なお、インキュベータ３の上面にはカバーが配設され、廃却口３３の下方には測定後の乾式分析素子１１を回収する回収箱が配設される。
【００５２】
上記インキュベータ３には乾式分析素子１１の測定を行う不図示の測定手段を備える。インキュベータ３には比色タイプの乾式分析素子１１と電解質タイプの乾式分析素子１１とが搬送されるもので、両者の測定が行える測定手段（測光手段と電位差測定手段）を備える。なお、点着部４の側方に電位差測定手段を備えた第２のインキュベータを配設し、これには電解質タイプの乾式分析素子１１を分離搬送して、その電位差測定を行うようにしてもよい。
【００５３】
比色測定法の場合は、回転部材３１の各素子室３２の底面中央に測光用の開口が形成され、この開口を通して測定手段の測光ヘッドによる乾式分析素子１１の反射光学濃度の測定が行われる。インキュベータ３は回転部材３１が往復回転駆動され、所定回転位置の下方に配設された測光ヘッドに対して、順次素子室３２の乾式分析素子１１の呈色反応の光学濃度の測定を行い、この一連の測定の後、逆回転して基準位置に復帰し、次の測定を行うように、所定角度範囲内で往復回転駆動を行うように制御するものである。
【００５４】
また、イオン活量を測定する場合は、素子室３２の側辺部に、イオン活量測定のための３対の開口が形成され、電位差測定手段の３対の電位測定用プローブが乾式分析素子１１のイオン選択電極に接触可能に設けられる。そして、一方の液供給孔に検体が、他方の液供給孔に参照液が点着された乾式分析素子１１では、イオン選択電極対の間にそれぞれ参照液と検体との間のイオン活量の差に対応する電位差が発生するため、電位測定用プローブにより各イオン選択電極対から生ずる電位差を測定すれば検体中の各イオン活量が測定できる。
【００５５】
次に、血液濾過ユニット６（図１）は、サンプラトレイ２に保持された検体容器１０（採血管）の内部に挿入され上端開口部に取り付けられたガラス繊維からなるフィルターを有するホルダー１６を介して血液から血漿を分離吸引し、ホルダー１６上端のカップ部に濾過された血漿を保持するようになっている。負圧を作用させる吸引部６１の先端下方側にはホルダー１６と吸着する吸盤部６２が設けられ、この吸盤部６２は不図示のポンプと接続される。吸引部６１は支持柱６３に対し、不図示の昇降機構により昇降移動するように支持されている。
【００５６】
そして、血液からの血漿の分離は、吸引部６１を下降して検体容器１０のホルダー１６に密着させる。ポンプを駆動して、検体容器１０内の全血を吸い上げフィルターにより濾過しカップ部に血漿が供給される。その後、吸引部６１を上昇して元の位置に移動して濾過を終了する。
【００５７】
図１は上記のような機構を装置本体１７（ケース）に設置した生化学分析装置１の外観を示すものであり、インキュベータ３の上部には表示窓１８ａを備えた操作パネル１８が配設されている。サンプラトレイ２、点着ノズルユニット５は開閉可能な透明保護カバー１９によって覆われている。サンプラトレイ２に対する生化学分析用カートリッジ７の装填、交換は、保護カバー１９を開いて（外して）行われる。
【００５８】
次いで、生化学分析装置１の動作について説明する。まず、分析を行う前に、装置外で生化学分析用カートリッジ７に対し検体を収容した検体容器１０およびその測定項目に対応した種類の乾式分析素子１１を装填する。つまり、検体の測定項目に対応する乾式分析素子１１を用意し、１枚ずつ包装された包装を破って、中の乾式分析素子１１の端部をもって取り出し、そのまま生化学分析用カートリッジ７の素子取出口から素子収容室７１の内部に挿入して装填する。
【００５９】
このように検体容器１０および乾式分析素子１１を対応して保持させた生化学分析用カートリッジ７を、保護カバー１９を外してサンプラトレイ２に装填する。検体が複数の場合には、それぞれの検体に対応した生化学分析用カートリッジ７を装填する。また、消耗品であるノズルチップ１２、混合カップ１３、希釈液容器１４および参照液容器１５をサンプラトレイ２に装填する。図２の形態では消耗品カートリッジ８を装填する。
【００６０】
次いで、生化学分析装置１は、生化学分析用カートリッジ７の装填位置において、生化学分析装置１の検量線データ読取部２３により記憶素子７５に記憶された全ての検量線データを読み込む。
【００６１】
その後、分析処理をスタートする。なお、緊急検体を収容した生化学分析用カートリッジ７の場合には、測定動作を一時停止させて、空いている部分または装填されている生化学分析用カートリッジ７を外して緊急検体用の生化学分析用カートリッジ７を装填する。
【００６２】
まず、血液濾過ユニット６により、検体容器１０内の全血を濾過して血漿成分を得る。次に、サンプラトレイ２を回転させて測定する検体の生化学分析用カートリッジ７を点着部４に対応する位置に停止させる。搬送手段９の素子搬送部材９１によりその生化学分析用カートリッジ７から乾式分析素子１１を点着部４に搬送する。その搬送途中にバーコードリーダー２４により乾式分析素子１１に設けられたバーコードが読み取られ、乾式分析素子１１の検査項目などを検出する。
【００６３】
次に、警告手段は、検量線データ読取部２３により読み取られた検量線データに基づいて、識別情報読取部２４により読み取られた識別情報により特定される検量線データが有効期限内でない場合、すなわち、検量線データ読取部に読み込まれた検量線データを参照して、乾式分析素子１１が、乾式分析素子１１のバーコードにより特定されるロット番号に対応付けられた有効期限を過ぎている場合には、検量線データの存在しなかった乾式分析素子の検査を中止し、ブザー、点滅ランプなどの音声や光により警告するとともに操作パネル１８の表示窓１８ａなどに警告表示を行う。例えば、ユーザは、警告に基づいて、警告の対象となった乾式分析素子を生化学分析装置１から取り除き、引き続き他の乾式分析素子による検査を再開することができる。
【００６４】
また、かかる警告手段による警告は、ユーザが認識できる警告であればいかなる警告でもよく、例えば、音や光による警告に限らず、生化学分析用カートリッジを使用する装置に備えられた操作画面や生化学分析用カートリッジを使用する装置に接続されたコンピュータのディスプレイ上に警告表示を行ってもよい。
【００６５】
なお、上記の警告手段は、検量線データ読取部２３に読み込まれた検量線データに基づいて、取得した識別情報により特定される検量線データが有効期限内であるか否かを判断できる方法であれば、周知のいかなる方法も適用可能である。
【００６６】
次に、読み取られた検査項目がイオン活量測定の場合、希釈依頼項目の場合等に応じて異なる処理を行う。また、読み取られた検査項目が比色測定の場合は、サンプラトレイ２を回転させて点着ノズル５３の下方にノズルチップ１２を移動させ、点着ノズル５３に装着する。続いて検体容器１０を移動させ、点着ノズル５３を下降してノズルチップ１２に検体を吸引し、点着ノズル５３を点着部４に移動して、乾式分析素子１１に検体を点着する。
【００６７】
そして、検体が点着された乾式分析素子１１がインキュベータ３に挿入される。乾式分析素子１１が挿入されると、インキュベータ３の素子室３２を回転して、挿入された乾式分析素子１１を順次測光ヘッドと対向する位置に移動する。そして、所定時間後測光ヘッドによる乾式分析素子１１の反射光学濃度の測定が行われる。測定終了後、素子室３２を挿入時の位置に戻し、素子搬送部材９１によって測定後の乾式分析素子１１を中心側に押し出して廃却する。測定結果を出力し、使用済みのノズルチップ１２を点着ノズル５３から外して処理を終了する。
【００６８】
次いで、検査項目が希釈依頼項目の場合、例えば血液の濃度が濃すぎて正確な検査を行うことができないような場合には、サンプラトレイ２を移動してノズルチップ１２を点着ノズル５３に装着する。次にサンプラトレイ２を移動して検体上で点着ノズル５３を下降してノズルチップ１２に検体を吸引する。サンプラトレイ２を移動して吸引した検体をノズルチップ１２から混合カップ１３に分注した後、使用済みのノズルチップ１２を外す。次いで、新しいノズルチップ１２を点着ノズル５３に装着し、希釈液容器１４からノズルチップ１２に希釈液を吸引する。吸引した希釈液をノズルチップ１２から混合カップ１３に吐出する。そして、ノズルチップ１２を混合カップ１３内に挿入して吸引と吐出とを繰り返して撹拌を行う。撹拌を行った後、希釈した検体をノズルチップ１２に吸引し、希釈した検体を吸引した点着ノズル５３を点着部４に移動して、乾式分析素子１１に検体を点着する。以下同様に、測光、素子廃却、結果出力およびチップ廃却を行って処理を終了する。
【００６９】
次いで、検査項目がイオン活量の測定の場合について説明する。なお、イオン活量の測定の場合は、電解質タイプの乾式分析素子１１が搬送される。まず、一方の点着ノズル５３にノズルチップ１２を装着し、検体を吸引する。次に、他方の点着ノズル５３にノズルチップ１２を装着し、参照液容器１５から参照液を吸引する。次いで、一方の点着ノズル５３により検体を乾式分析素子１１の一方の液供給孔に点着し、さらに、他方の点着ノズル５３により参照液を乾式分析素子１１の他方の液供給孔に点着する。
【００７０】
そして、検体および参照液が点着された乾式分析素子１１が、点着部４からインキュベータ３の素子室３２に挿入される。この乾式分析素子１１がインキュベータ３に挿入されると、電位差測定手段によるイオン活量の測定が行われる。測定終了後、素子搬送部材９１によって測定後の乾式分析素子１１をインキュベータ３の中心部の廃却口３３に廃却する。そして測定結果を出力し、両方の使用済みのノズルチップ１２，１２を両点着ノズル５３，５３から外して廃却し、処理を終了する。
【００７１】
上記のような実施の形態では、検体の測定に必要な複数の測定項目に対応する複数の乾式分析素子１１を収納するとともに、生化学分析装置１に供給する生化学分析用カートリッジ７であって、生化学分析用カートリッジ７の製造時または出荷時に有効期限内である全ての乾式分析素子１１の検量線データを記憶した記憶素子７５を備えたため、生化学分析用カートリッジ７に添付される記憶素子７５に記憶すべき検量線データを容易に特定できる。また、生化学分析用カートリッジ７の製造時または出荷時に有効期限内である全ての乾式分析素子の検量線データを生化学分析装置に供給できるため、必要な検量線データの供給が容易で確実に行える。この結果、ユーザの負担が軽減され、測定作業の効率を向上できる。
【００７２】
また、記憶素子７５が、「生化学分析用カートリッジ７の製造時または出荷時に有効期限内である」全ての乾式分析素子の検量線データを記憶しているため、乾式分析素子に記憶される検量線データが、乾式分析素子の使用時に比較的近い時期に製造された乾式分析素子についての検量線データを生化学分析装置に供給できる。
【００７３】
また、本実施形態の生化学分析用カートリッジ７は、ネットワークに接続されていない生化学分析装置においては、必要な検量線データの供給が容易で確実に行えることによる効果が特に著しい。
【００７４】
また、記憶素子７５が、カートリッジ８の生化学分析装置１への装填時に生化学分析装置により読み取り可能な位置に設けられたため、生化学分析装置１への装填時に記憶素子７５に記憶された検量線データを生化学分析装置１に読み取らせることができ、検量線データの更新を別途行う必要がなく、生化学分析装置の検量線データの更新が容易で確実である。
【００７５】
また、上記生化学分析装置１は、上記生化学分析用カートリッジの記憶素子７５に記憶された検量線データを読み取る検量線データ読取部２３と、カートリッジに装填された前記乾式分析素子の識別情報を読み取る識別情報読取部２４と、検量線データ読取部により読み取られた検量線データに基づいて、識別情報読取部により読み取られた識別情報により特定される検量線データが有効期限内でない場合に、警告する警告手段とを備えたため、有効期限が切れた乾式分析素子の誤使用をユーザに知らせることができ、乾式分析素子の確実な期限管理を支援することができる。
【００７６】
また、本実施形態の記憶素子７５には、生化学分析用カートリッジ７の出荷時に最新の検量線データおよび有効期限が記憶素子７５に記憶または更新されたものであるため、より正確に、必要な検量線データの供給が容易で確実に行える。また、最新の検量線データおよび有効期限が記憶素子７５に記憶されているため、警告手段による警告をより正確に行うことができ、乾式分析素子のより正確な期限管理を支援することができる。
【符号の説明】
【００７７】
１    生化学分析装置
２    サンプラトレイ
３    インキュベータ
４    点着部
５    点着ノズルユニット
７    生化学分析用カートリッジ
９    搬送手段
１０    検体容器
１１    乾式分析素子
２１，２２    回転台
２３    検量線データ読取部
２４    バーコードリーダー
２５    警告手段
７５    記憶素子
９１    素子搬送部材
【図１】
0005703072.tif 000002
【図２】
0005703072.tif 000003
【図３】
0005703072.tif 000004